【手続補正書】
【提出日】平成30年1月30日(2018.1.30)
【手続補正１】
【補正対象書類名】特許請求の範囲
【補正対象項目名】全文
【補正方法】変更
【補正の内容】
【特許請求の範囲】
【請求項１】
互いに固定される第１板部材と第２板部材とを有する画像形成装置用フレームであって、
前記第１板部材は、前記第２板部材に垂直に突き当たって前記第２板部材の前記第１板部材に対する位置を決める位置決め部と、前記第２板部材に沿うよう曲げられた曲げ部と、前記曲げ部に設けられ前記第２板部材に固定される被固定部と、を有し、
前記第２板部材は、前記被固定部が固定される固定部を有し、
前記位置決め部の先端の方が前記被固定部よりも前記第２板部材側に突出した位置に配置され、
前記第２板部材が撓むことで、前記第２板部材が前記位置決め部と当接しつつ、前記固定部が前記被固定部と当接して固定されることにより、前記第１板部材と前記第２板部材とが固定されていることを特徴とする画像形成装置用フレーム。
【請求項２】
前記固定部が前記被固定部に向けて突出するように前記第２板部材が撓んだ状態で、前記固定部が前記被固定部に溶着されていることを特徴とする請求項１に記載の画像形成装置用フレーム。
【請求項３】
前記固定部が前記被固定部に溶着される際、
前記固定部は、前記被固定部に向けて突出する方向に加圧され、前記被固定部は、前記固定部を加圧する方向の反対方向から加圧されることを特徴とする請求項２に記載の画像形成装置用フレーム。
【請求項４】
前記固定部を加圧する力は、前記被固定部を加圧する力よりも大きいことを特徴とする請求項３に記載の画像形成装置用フレーム。
【請求項５】
前記第１板部材及び前記第２板部材は金属製の板部材であることを特徴とする請求項１乃至４のいずれか１項に記載の画像形成装置用フレーム。
【請求項６】
前記位置決め部と、該位置決め部に最も近い前記被固定部との距離が１５ｍｍ以上であることを特徴とする請求項１乃至５のいずれか１項に記載の画像形成装置用フレーム。
【請求項７】
前記第２板部材の厚さが０．６ｍｍ以上〜１．２ｍｍ以下であることを特徴とする請求項１乃至６のいずれか１項に記載の画像形成装置用フレーム。
【請求項８】
前記第１板部材が感光体を露光する露光ユニットを支持することを特徴とする請求項１乃至７のいずれか１項に記載の画像形成装置用フレーム。
【請求項９】
前記第１板部材が感光体からトナー像を転写される転写ユニットを支持することを特徴とする請求項１乃至７のいずれか１項に記載の画像形成装置用フレーム。
【請求項１０】
互いに固定される第１板部材と第２板部材とを有し、
前記第１板部材は、前記第２板部材に垂直に突き当たって前記第２板部材の前記第１板部材に対する位置を決める位置決め部と、前記第２板部材に沿うように曲げられた曲げ部と、前記曲げ部に設けられ前記第２板部材に固定される被固定部と、を有し、
前記第２板部材は、前記被固定部が固定される固定部を有し、
前記位置決め部の先端の方が前記被固定部よりも前記第２板部材側に突出した位置に配置される画像形成装置用フレームの製造方法であって、
前記位置決め部が、前記第２板部材に垂直に突き当たって前記第２板部材の前記第１板部材に対する位置決めをする位置決め工程と、
前記第１板部材と前記第２板部材とが固定された状態で、前記第２板部材を撓ませることにより、前記第２板部材と前記位置決め部とを当接させつつ、前記固定部と前記被固定部とを当接させた状態で前記第１板部材と前記第２板部材とを固定する固定工程と、
を有することを特徴とする画像形成装置用フレームの製造方法。
【請求項１１】
前記固定工程は、前記固定部と前記被固定部とを溶着することで前記第１板部材と前記第２板部材とを固定する工程であることを特徴とする請求項１０に記載の画像形成装置用フレームの製造方法。
【請求項１２】
記録媒体に画像形成を行う画像形成手段と、
互いに固定される第１板部材と第２板部材と、を有し、
前記第１板部材は、前記第２板部材に垂直に突き当たって前記第２板部材の前記第１板部材に対する位置を決める位置決め部と、前記第２板部材に沿うよう曲げられた曲げ部と、前記曲げ部に設けられ前記第２板部材に固定される被固定部と、を有し、
前記第２板部材は、前記被固定部が固定される固定部を有し、
前記位置決め部の先端の方が前記被固定部よりも前記第２板部材側に突出した位置に配置され、
前記第２板部材が撓むことで、前記第２板部材が前記位置決め部と当接しつつ、前記固定部が前記被固定部と当接して固定されることにより、前記第１板部材と前記第２板部材とが固定されていることを特徴とする画像形成装置。
【請求項１３】
前記固定部が前記被固定部に向けて突出するように前記第２板部材が撓んだ状態で、前記固定部が前記被固定部に溶着されていることを特徴とする請求項１２に記載の画像形成装置。
【請求項１４】
前記固定部が前記被固定部に溶着される際、
前記固定部は、前記被固定部に向けて突出する方向に加圧され、前記被固定部は、前記固定部を加圧する方向の反対方向から加圧されることを特徴とする請求項１３に画像形成装置。
【請求項１５】
前記固定部を加圧する力は、前記被固定部を加圧する力よりも大きいことを特徴とする請求項１４に記載の画像形成装置。
【請求項１６】
前記第１板部材及び前記第２板部材は金属製の板部材であることを特徴とする請求項１２乃至１５のいずれか１項に記載の画像形成装置。
【請求項１７】
前記位置決め部と、該位置決め部に最も近い前記被固定部との距離が１５ｍｍ以上であることを特徴とする請求項１２乃至１６のいずれか１項に記載の画像形成装置。
【請求項１８】
前記第２板部材の厚さが０．６ｍｍ以上〜１．２ｍｍ以下であることを特徴とする請求項１２乃至１７のいずれか１項に記載の画像形成装置。
【請求項１９】
前記画像形成手段は、感光体と、前記感光体を露光する露光ユニットと、を含み、
前記第１板部材が前記露光ユニットを支持することを特徴とする請求項１２乃至１８のいずれか１項に記載の画像形成装置。
【請求項２０】
前記画像形成手段は、感光体と、前記感光体からトナー像を転写される転写ユニットと、を含み、
前記第１板部材が前記転写ユニットを支持することを特徴とする請求項１２乃至１８のいずれか１項に記載の画像形成装置。
【手続補正２】
【補正対象書類名】明細書
【補正対象項目名】発明の名称
【補正方法】変更
【補正の内容】
【発明の名称】画像形成装置用フレーム、その製造方法、及び画像形成装置
【手続補正３】
【補正対象書類名】明細書
【補正対象項目名】０００１
【補正方法】変更
【補正の内容】
【０００１】
本発明は、画像形成装置用フレーム、その製造方法、及び画像形成装置に関する。
【手続補正４】
【補正対象書類名】明細書
【補正対象項目名】００１７
【補正方法】変更
【補正の内容】
【００１７】
また、本発明に係る画像形成装置用フレームの製造方法は、
互いに固定される第１板部材と第２板部材とを有し、
前記第１板部材は、前記第２板部材に垂直に突き当たって前記第２板部材の前記第１板部材に対する位置を決める位置決め部と、前記第２板部材に沿うように曲げられた曲げ部と、前記曲げ部に設けられ前記第２板部材に固定される被固定部と、を有し、
前記第２板部材は、前記被固定部が固定される固定部を有し、
前記位置決め部の先端の方が前記被固定部よりも前記第２板部材側に突出した位置に配置される画像形成装置用フレームの製造方法であって、
前記位置決め部が、前記第２板部材に垂直に突き当たって前記第２板部材の前記第１板部材に対する位置決めをする位置決め工程と、
前記第１板部材と前記第２板部材とが固定された状態で、前記第２板部材を撓ませることにより、前記第２板部材と前記位置決め部とを当接させつつ、前記固定部と前記被固定
部とを当接させた状態で前記第１板部材と前記第２板部材とを固定する固定工程と、
を有することを特徴とする。
さらに、本発明に係る画像形成装置は、
記録媒体に画像形成を行う画像形成手段と、
互いに固定される第１板部材と第２板部材とを有し、
前記第１板部材は、前記第２板部材に垂直に突き当たって前記第２板部材の前記第１板部材に対する位置を決める位置決め部と、前記第２板部材に沿うよう曲げられた曲げ部と、前記曲げ部に設けられ前記第２板部材に固定される被固定部と、を有し、
前記第２板部材は、前記被固定部が固定される固定部を有し、
前記位置決め部の先端の方が前記被固定部よりも前記第２板部材側に突出した位置に配置され、
前記第２板部材が撓むことで、前記第２板部材が前記位置決め部と当接しつつ、前記固定部が前記被固定部と当接して固定されることにより、前記第１板部材と前記第２板部材とが固定されていることを特徴とする。